(57)【要約】【課題】商品価値が損なわれることが防止された携帯型機器を提供する。【解決手段】鋼球４１と、その鋼球４１の移動が自在な収容空間４２ａを有しその収容空間４２ａ内に鋼球４１を内蔵した収容ケース４２と、鋼球４１の動きを検出する反射型フォトセンサ４３とを備え、鋼球４１の動きで姿勢を検出する姿勢検出器４０を、携帯型機器であるカメラの内部筐体１ａに弾性材付き両面テープ５０で固定した。【選択図】        図４
2004294826.tif 000002
【特許請求の範囲】
【請求項１】
鋼球と、該鋼球の移動が自在な収容空間を有し該収容空間内に該鋼球を内蔵した収容ケースと、該鋼球の動きを検出するセンサとを備え、該鋼球の動きで姿勢を検出する姿勢検出器が固定された携帯型機器において、
前記姿勢検出器が前記携帯型機器に弾性部材を介して固定されてなることを特徴とする携帯型機器。
【請求項２】
前記弾性部材が、弾性材付き両面テープであることを特徴とする請求項１記載の携帯型機器。
【請求項３】
この携帯型機器が、被写体像を捉えて撮影を行なうカメラであることを特徴とする請求項１記載の携帯型機器。
【発明の詳細な説明】
【０００１】
【発明の属する技術分野】
本発明は、鋼球の動きで姿勢を検出する姿勢検出器を備えた携帯型機器に関する。
【０００２】
【従来の技術】
一般に、携帯型機器の１つであるカメラにおいて、そのカメラがズームレンズを備えたカメラの場合、レンズ制御機構として、ズーム駆動モータ，複数の駆動用伝達ギア，ズームレンズ駆動カム等、多数の伝達機構部材が備えられている。また、そのカメラがフォーカシングレンズを備えたカメラの場合、レンズ制御機構として、フォーカスモータ，複数の伝達ギア，フォーカシングレンズ駆動用のリードギア等、多数の伝達機構部材が備えられている。ここで、カメラを横向きに構えた場合と縦向きに構えた場合とでは、上記多数の伝達機構部材の遊び量が異なるため、カメラを横向きに構えた場合と縦向きに構えた場合とでは、ピント調節等も異なり、従って品質の高い写真を得ることは困難である。そこで、鋼球の動きでカメラの横姿勢と縦姿勢を検出する姿勢検出器を備えたカメラが提案されている。姿勢検出器としては、例えば、収容ケース内に生じる水滴の露結による鋼球の作動不良や迷光による検出不良を防止するために、収容ケース内部にガイドレールや開口部を形成した姿勢検出器が提案されている（特許文献１参照）。尚、このような姿勢検出器は、ロール状の写真フイルム上に写真撮影を行なう通常のカメラ以外に、ＣＣＤ受光素子アレイ上に被写体の像を結像させて画像を信号として取り込む電子スチールカメラやビデオカメラ等の携帯型機器にも好適に用いられる（特許文献２参照）。
【０００３】
【特許文献１】
特開平６−７４７６６号公報
【特許文献２】
特開平６−３００９６２号公報
【０００４】
【発明が解決しようとする課題】
ここで、ユーザがカメラを振るような動作を行なうと、鋼球が収容ケースの内壁に衝突して、そのカメラから異音が発生する場合がある。そのような場合、カメラの内部に異物が混入したりネジが外れて落下しているような印象をユーザに与える恐れがある。従って、上記カメラに代表されるような、鋼球の動きで姿勢を検出する携帯型機器の商品価値が損なわれるという問題がある。
【０００５】
本発明は、上記事情に鑑み、商品価値が損なわれることが防止された携帯型機器を提供することを目的とする。
【０００６】
【課題を解決するための手段】
上記目的を達成する本発明の携帯型機器は、鋼球と、その鋼球の移動が自在な収容空間を有しその収容空間内にその鋼球を内蔵した収容ケースと、その鋼球の動きを検出するセンサとを備え、その鋼球の動きで姿勢を検出する姿勢検出器が固定された携帯型機器において、
上記姿勢検出器が上記携帯型機器に弾性部材を介して固定されてなることを特徴とする。
【０００７】
本発明の携帯型機器は、上記姿勢検出器がその携帯型機器に弾性部材を介して固定されてなるものであるため、ユーザが携帯型機器を振るような動作を行ない、鋼球が収容ケースの内壁に衝突した場合であっても、その衝突により発生する異音が弾性部材で吸収される。従って、異物が混入したりネジが外れているような印象をユーザに与える恐れが解消されて、商品価値が損なわれるということが防止される。
【０００８】
ここで、上記弾性部材が、弾性材付き両面テープであることが好ましい。
【０００９】
弾性材付き両面テープで姿勢検出器を携帯型機器に固定すると、異音が吸収できるとともに携帯型機器の製造にあたり作業性を高めることができる。
【００１０】
また、上記収容ケースの外壁と、その収容ケースの上記収容空間を画定する内壁との間の肉厚が上記鋼球の直径の１／３以上の寸法を有することも好ましい態様である。
【００１１】
このような寸法を有する収容ケースを用いると、鋼球が収容ケースの内壁に衝突して発生する異音を外部に漏れにくくすることができる。
【００１２】
さらに、上記収容ケースが、ＡＢＳ、ポリスチレン（ＰＳ）、ナイロン、ポリプロピレン（ＰＰ）等、剛性の低い材質で形成されたものであることも好ましい。
【００１３】
このような材質で収容ケースを形成すると、鋼球が収容ケースの内壁に衝突して発生する異音が吸収されるため、異音を小さく抑えることができる。
【００１４】
また、本発明の携帯型機器が、被写体像を捉えて撮影を行なうカメラであってもよい。
【００１５】
【発明の実施の形態】
以下、本発明の実施形態について説明する。
【００１６】
図１は、本発明の携帯型機器の一実施形態としてのカメラを前面斜め上から見た外観斜視図である。
【００１７】
図１に示すカメラ１は、ロール状の写真フイルムに写真撮影を行なうカメラであり、このカメラ１の前面中央部には、光学ズームレンズ１１ａを内部に備えたズーム鏡胴１１が備えられている。
【００１８】
また、このカメラ１の前面上部には、リモコン受信部を構成するリモコン受信窓１２と、オートフォーカス（ＡＦ）測距部を構成する発光素子およびその発光素子から投光され被写体で反射して戻ってきた光を受光する受光素子が内蔵されたＡＦ窓１３が備えられている。
【００１９】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００２０】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。
【００２１】
さらに、カメラ１の前面内部には、このカメラ１の縦姿勢と横姿勢を検出する姿勢検出器４０が備えられている。姿勢検出器４０の構成については後述する。
【００２２】
図２は、図１のカメラを背面斜め上から見た外観斜視図である。
【００２３】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００２４】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００２５】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカス等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２６】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２７】
図３は、図１に示すカメラの、姿勢検出器を含む部分を切り欠いて示した図である。
【００２８】
図３には、カメラ１の、図１に示す円Ａで囲まれた姿勢検出器４０を含む部分が示されている。図３に示す姿勢検出４０は、カメラ１の内部筐体１ａに、弾性材付き両面テープ５０を介して固定されている。この弾性材付き両面テープ５０の弾性材は、例えば発泡ブチルゴムが用いられる。
【００２９】
図４は、図３に示す姿勢検出器の構成を示す図である。
【００３０】
図４（ａ）には、姿勢検出器４０の正面図が示されている。また、図４（ｂ）には、姿勢検出器４０の側面図が示されている。さらに、図４（ｃ）には、姿勢検出器４０の上面図が示されている。
【００３１】
図４（ａ）に示すように、姿勢検出器４０には、鋼球４１と、鋼球４１の移動が自在な収容空間４２ａを有しその収容空間４２ａ内に鋼球４１を内蔵した収容ケース４２と、鋼球４１の動きを検出する反射型フォトセンサ４３とが備えられている。
【００３２】
収容ケース４２は、収容ケース４２の外壁と、その収容ケース４２の収容空間４２ａを画定する内壁との間の肉厚が、鋼球４１の直径の１／３以上の寸法を有する。また、収容ケース４２は、剛性の低いＡＢＳで形成されている。
【００３３】
反射型フォトセンサ４３は、カメラ１に内蔵されたフレキシブルプリント回路基板（ＦＰＣ）６０に半田付けで実装されており、この反射型フォトセンサ４３には、発光素子４３ａと受光素子４３ｂ（図４（ｂ），図４（ｃ）参照）が備えられている。
【００３４】
このように構成された姿勢検出４０が、図４（ｂ）に示すように、カメラ１の内部筐体１ａに、Ｌ字状に折り曲げられた弾性材付き両面テープ５０を介して固定されている。
【００３５】
ここで、カメラ１を横向きに構えた場合は、鋼球４１は、図４（ａ）に示す実線の、反射型フォトセンサ４３から比較的離れた位置にある。このため、反射型フォト反射型フォトセンサ４３を構成する発光素子４３ａからの光は鋼球４１にまで到達せず、従って受光素子４３ｂでは鋼球４１からの反射光は受光されず、反射型フォトセンサ４３から検出信号として横姿勢を示すレベル（例えば‘Ｈ’レベル）が出力される。
【００３６】
一方、カメラ１を縦向きに構えた場合は、鋼球４１は、図４（ａ）に示す点線の、反射型フォトセンサ４３から比較的近い位置に移動する。すると、発光素子４３ａからの光は鋼球４１で反射され、受光素子４３ｂでは鋼球４１からの反射光が受光されて、反射型フォトセンサ４３から検出信号として縦姿勢を示すレベル（ここでは‘Ｌ’レベル）が出力される。
【００３７】
ここで、撮影にあたり、シャッタボタン１８（図１参照）が押下される。すると、光学ズームレンズ１１ａが、ＡＦ測距部により検出された距離と姿勢検出器４０により検出された姿勢とに応じた位置に移動されて、写真撮影が行なわれる。このように本実施形態のカメラ１は、レンズ制御機構における伝達機構部材の、カメラ１の姿勢に見合った遊び量に対応して、光学ズームレンズ１１ａが位置決めされる。従って、光学ズームレンズ１１ａの位置決めを精度良く行なうことができ、ピントの合った品質の高い写真を得ることができる。
【００３８】
ここで、ユーザがカメラ１を振る動作を行なうものとする。すると、鋼球４１が収容ケース４２の内壁に衝突する。本実施形態のカメラ１は、姿勢検出器４０がカメラ１に弾性材付き両面テープ５０を介して固定されてなるものであるため、鋼球４１が収容ケース４２の内壁に衝突した場合であっても、衝突により発生する異音が弾性材付き両面テープ５０で吸収される。また、収容ケース４２の外壁と、収容ケース４２の収容空間４２ａを画定する内壁との間の肉厚が、鋼球４１の直径の１／３以上の寸法を有するものであるため、鋼球４１が収容ケース４２の内壁に衝突して発生する異音を外部に漏れにくくするという効果がある。さらに、収容ケース４２は、剛性の低い材質であるＡＢＳで形成されているため、鋼球４１が収容ケース４２の内壁に衝突して発生する異音が吸収される。従って、本実施形態のカメラ１は、そのカメラ１が振られて鋼球４１が収容ケース４２の内壁に衝突した場合であっても、その衝突により発生する異音が、弾性材付き両面テープ５０、および比較的大きな肉厚を有し且つＡＢＳで形成された収容ケース４２で吸収されて、異物が混入したりネジが外れているような印象をユーザに与える恐れが解消されて、カメラ１の商品価値が損なわれることが防止される。
【００３９】
尚、本実施形態では、ロール状の写真フイルム上に写真撮影を行なう通常のカメラの例で説明したが、固体撮像素子上に被写体の像を結像して画像を信号として取り込む電子カメラであってもよく、また、本発明は、このようなカメラに限られるものではなく、鋼球の動きで姿勢を検出する携帯型機器であればよい。
【００４０】
また、本実施形態では、姿勢検出器がカメラに弾性材付き両面テープを介して固定されてなる例で説明したが、これに限られるものではなく、本発明は、姿勢検出器が携帯型機器に弾性部材を介して固定されてなるものであればよい。
【００４１】
さらに、本実施形態では、収容ケースがＡＢＳで形成された例で説明したが、ポリスチレン（ＰＳ）、ナイロン、ポリプロピレン（ＰＰ）等、剛性の低い材質で形成されたものであってもよい。
【００４２】
【発明の効果】
以上説明したように、本発明によれば、商品価値が損なわれることが防止された携帯型機器を提供することができる。
【図面の簡単な説明】
【図１】本発明の携帯型機器の一実施形態としてのカメラを前面斜め上から見た外観斜視図である。
【図２】図１のカメラを背面斜め上から見た外観斜視図である。
【図３】図１に示すカメラの、姿勢検出器を含む部分を切り欠いて示した図である。
【図４】図３に示す姿勢検出器の構成を示す図である。
【符号の説明】
１  カメラ
１ａ  内部筐体
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
２０  裏蓋
２１  視度調節ダイヤル
２２  ファインダ接眼窓
２３  ＡＦランプ
２４  電源ボタン
２５  ズームボタン
２６  フイルム確認窓
２７  電池蓋
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
４０  姿勢検出器
４１  鋼球
４２  収容ケース
４２ａ  収容空間
４３  反射型フォトセンサ
４３ａ  発光素子
４３ｂ  受光素子
５０  弾性材付き両面テープ
６０  フレキシブルプリント回路基板（ＦＰＣ）
【図１】
2004294826.tif 000003
【図２】
2004294826.tif 000004
【図３】
2004294826.tif 000005
【図４】
2004294826.tif 000006